Podtech/llm-jp-corpus-v4-ja_patent huggingface dataset:
(57)【要約】【課題】牛乳等の乳製品を一切使用しないで豆乳のみを使用して造るアイスクリームであって氷菓であっても栄養食品として優れている食品を提供する。【解決手段】豆腐製造の際の豆乳に、糖類を加え、少量の乳化安定剤を混入して撹拌し、フリーザーにて冷却させるもので得られるアイスクリーム状の氷菓は口当りよく、さわやかな豆乳の匂いがあり、牛乳アレルギーの子供であっても心配することなく、大豆の含有する栄養成分のすべてを吸収できる。【特許請求の範囲】
【請求項１】
豆乳を主材料とし、これにグラニュー糖、ブドー糖等の糖類を加え、少量の乳化安定剤を加えて撹拌混合し、フリーザーにより冷却させることを特徴とした豆乳アイスクリームの製造方法。
【請求項２】
請求項１に記載の豆乳アイスクリームの製造方法において、抹茶やゴマ或はバニラエッセンス等を加えて、それぞれの色、風味を持たせた豆乳アイスクリームの製造方法。
【発明の詳細な説明】
【０００１】
【発明の属する技術分野】
本発明は牛乳等の製品を全く使用しないで、豆乳のみを主材料とした豆乳アイスクリームの製造方法に関する。
【０００２】
【従来の技術】
アイスクリームと呼ばれて一般に好まれている食品は、一般に牛乳を主材料とし、これに生クリーム、脱脂粉乳、グラニュー糖、ブドー糖等及び乳化安定剤を加えてフリーザーにかけて製造するのが一般的に知られている。
【０００３】
そして、最近ではこの材料に抹茶やゴマ、ブルーベリー等色々な好味料を入れてそれぞれの味や色、風味等を楽しむため四季を問わず一年中好まれて食されている。
【０００４】
【発明が解決しようとする課題】
この中で大豆や枝豆を混入したアイスクリームが注目されて来ている。これは乳製品では得られないレシチン、カルシウム、各種ビタミンＢ、鉄分、タンパク質等が手軽に摂取できるため健康志向の強い今日、需要に適しているものと考えられる。
【０００５】
しかしこの一般に市販されている大豆や枝豆アイスクリームは牛乳に豆を摺り潰したのを加えてフリージングしたものであって全くのアイスクリームである。
【０００６】
日本のアイスクリームの分類規格は次表の通りである。
日本のアイスクリームの分類
日本では、アイスクリーム類の中に含まれる乳固形の割合によって４つに分類され、種類別表示しなければならない。
2004073154.tif 000002
【０００７】
【課題を解決するための手段】
発明者は、この栄養分の高い大豆の搾り汁、即ち豆腐製造工程中の豆乳のみを使用してアイスクリーム（正しくは前表によると氷菓の分類に属するものであるが、本文中では以下でも豆乳アイスクリームと称す）とすることを試み、試作研究を続けて本発明に到達したもので、本発明は豆腐製造工程中の豆乳のみを採取し、これに果糖、ブドー糖等の糖類を加えてアイスクリーム製造機に投入して乳化剤を混合してフリージングすることによってアイスクリーム状のクリーミーな氷菓を得た。
【０００８】
【発明の実施の形態】
本発明の豆乳アイスクリームは低カロリーであって、しかもレシチン、カルシウム、各種ビタミンＢ、鉄分、タンパク質が多く含まれているため氷菓というよりも栄養補助食品としてすすめられ、なめらかな口当りと僅かに豆乳の匂いが残りさわやかに食することができる。
【０００９】
そして、この豆乳アイスクリームは牛乳や乳製品を全く使用していないため、牛乳アレルギー体質の子供などにも安心してすすめられる。また僅かに残る豆乳の匂いも気になる場合には、前記のような添加物を加えることによって解消できる。
【００１０】
【実施例】
以下に本発明のいくつかの実施例を挙げる。
（１）．豆乳８００ｇ、グラニュー糖１５０ｇ、ブドー糖５０ｇ、安定剤２０ｇを用意する。アイスクリーム製造機（商品名パステライザー）に先ず豆乳を入れて撹拌し、４０℃になったところで他の全材料を投入する。よく混ぜながらフリーザーで−１５℃に冷して氷菓を得る。
（２）．豆乳８００ｇ、グラニュー糖１５０ｇ、ブドー糖４０ｇ、抹茶２０ｇ、安定剤２０ｇを用意する。アイスクリーム製造機（商品名パステライザー）に豆乳を入れて撹拌し、４０℃になったら他の全材料を入れ、撹拌を続けながらフリーザーで−１５℃に冷して抹茶風味の氷菓を得る。
【００１１】
例１，２共出来上った氷菓はなめらかで口当りがよく従来の牛乳を使ったアイスクリームを殆ど同じ食感で少しの違和感も生じない。
【００１２】
【発明の効果】
上述のように本発明は豆乳のみからアイスクリーム状の氷菓を得るものであって、豆乳の全栄養分をそのまま摂取でき、しかも従来のアイスクリームのように美味しく、何の違和感もなく楽しめることができるため菓子としてよりも栄養補助食品として広くすすめることができ画期的な作用効果を奏する。
(57)【要約】【課題】片手でコーンを１個ずつ楽に取り出せるようにする。【解決手段】透明な円筒体１と、その中に開口部を上向きにして重ねて入れたコーン２と重ねて入れたコーン２をその下側から落下しないように支持する、前記円筒体の内側面に少なくとも１２０度間隔で取り付けた板ばね３とよりなるアイスクリーム用コーン取り出し機。【選択図】　　図１
2004073157.tif 000002
【特許請求の範囲】
【請求項１】
透明な円筒体と、その中に開口部を上向きにして重ねて入れたコーンと、かさねて入れたコーンをその下側から落下しないように支持する、前記円筒体の内側面に少なくとも１２０度間隔で取り付けた板ばねとよりなるアイスクリーム用コーン取り出し機。
【発明の詳細な説明】
【０００１】
【発明が属する技術分野】
【０００２】
【従来の技術】
従来アイスクリーム用コーンを取り扱う場合、箱より両手を使って取り出すか、前もって箱より取り出して裸で積み上げておくかしている。
【０００３】
【発明が解決しようとする課題】
しかし、従来の取り扱い方法には、次の（１）〜（４）の問題点があった。
（１）コーンを取り出すのに両手を使うので作業性も悪く面倒である。
（２）コーンを取り出すのに時間がかかりお客様に迷惑をかける。
（３）コーンを裸で積み上げておくのでほこり等がつき不衛生である。
（４）コーンを積み上げておくので倒れやすくスペースもとり邪魔である。
【０００４】
【課題を解決するための手段】
本発明のアイスクリーム用コーン取り出し機は、次のように構成したものである。
（１）円筒体にコーンを入れるようにした。
（２）円筒体に板ばねを少なくとも１２０度間隔で３箇所取り付けてコーンの落下を防止するようにした。
（３）円筒体に蓋をつけてほこり等を遮断するようにした。
（４）スペースをとらないように吊り下げるようにした。
【０００５】
【発明の実施の形態】
以下、本発明の実施の形態を実施例によって説明する。
図１は実施例のアイスクリーム用コーン取り出し機の側面図、図２は図１の下側から見た平面図である。
図において、１は直径９０ｍｍの透明な円筒体で、その中にコーン２が入る大きさである。２は朝顔状のコーンで最大径は８０ｍｍである。３は板ばねである。長い板ばね３ａと短い板ばね３ｂで構成されている。長い板ばね３ａは幅２０ｍｍ長さ４０ｍｍ、短い板ばね３ｂは幅２０ｍｍ長さ２０ｍｍである。両板ばね３ａ、３ｂは重ねて１２０度間隔で３箇所取り付けられている。２枚の板ばねを角度を変えて取り付けることにより、コーンの落下を防止し、片手でコーンを１個ずつ楽に取り出せるようにしてある。４は吊紐である。スペースを取らないように吊り下げるようにするためのものである。５は蓋である。ほこり等を遮断するためのものである。
【０００６】
実施例のアイスクリーム用コーン取り出し機は、上述のような構成となっているので、円筒体１にコーンを入れ、蓋５をし、吊り下げる。注文のつど片手でコーンを取り出す。
なお、板ばねの取り付けは３箇所にこだわらないで４箇所又は５箇所設けることも可能である。板ばねの仕様を２枚としたが１枚でもよい。吊り下げるようにしてあるが設置場所等にあわせてスタンド型や機械等の側面への取り付け型に変えることも可能である。
【０００７】
【発明の効果】
以上説明したように、本発明によれば、上述のような構成をしたので、次の効果を奏する。
（１）片手でコーンを１個ずつ楽に取り出せるようになり便利になった。
（２）時間も短縮されお客様に迷惑をかけなくなった。
（３）蓋をすることによりほこり等が遮断され衛生的になった。
（４）円筒を吊り下げることによりスペースもとらなくなり倒れる心配もなくなった。
【図面の簡単な説明】
【図１】本発明のアイスクリーム用コーンの側面図である。
【図２】図１の下側から見た平面図である。
【符号の説明】
１　円筒体
２　アイスクリーム用コーン
３　板ばね
４　吊紐
５　蓋
【図１】
2004073157.tif 000003
【図２】
2004073157.tif 000004
(57)【要約】【課題】ベランダ等で水がなく水やりが不便な場所において、水を持参しなくても植木鉢の底部にある水を循環させ水やりが容易であり、また食卓、寝室においても水やりを楽しめる循環噴水植木鉢を提供する。【解決手段】上面が開放された容器とその容器内に収容されたすのこ状仕切板を設け、その上に敷きつめた濾過シートで、清水された水を下部タンクに貯え、その水をパイプ付き手動ポンプで水を汲み上げ上部にある数箇所の噴射穴より水を噴射させ、遊び感覚で植物の育成をさせることを特徴とする。【選択図】　図１
2004073174.tif 000002
【特許請求の範囲】
【請求項１】
上面が開放された容器とその容器内に収容されたすのこ状仕切板を設け、その上に敷きつめた濾過シートで、清水された水を下部タンクに貯え、その水をパイプ付き手動ポンプで水を汲み上げ上部にあるホースに設けた数箇所の噴射穴より水を噴射させ、遊び感覚で植物の育成をさせることを特徴とする循環噴水植木鉢。
【発明の詳細な説明】
【０００１】
【発明の属する技術分野】
本発明は、できるだけ従来型植物鉢のように土を使わず、土に代わるものを使用することによって、土への水の残留が少なく根腐れを防ぎいつも新鮮な水を保湿させ衛生的に植物の育成を行うことができる。また液体肥料を入れると水が循環式であるため、液体肥料が有効に何回でも使用が可能で、軽量かつ簡単な構造で室内観賞植物類を遊び感覚で育成するのに好適な循環噴水植木鉢に関する。
【０００２】
【従来の技術】
従来の植木鉢は一般に陶磁器類であるため重く、使用済みとなった時にも焼却を容易に行えないという問題があった。また、最新型では電動式があるが、製品価格が非常に高い欠点があり、更に、植木鉢をベランダ等で育成している場合、手元に水がないため水やりに苦慮する問題があった。
例えば、特開平０７−２８４３５１、特開平０８−０８９０８９、特開２００２−０１０７１６等がある。
【０００３】
【発明が解決しようとする課題】
本発明は、上記で述べたとおり、従来の問題点を解決するものである。
その目的とするところは、従来型植木鉢のように土を使わず土に代わるものを使用して、価格の安い手動ポンプによって水を噴射させ、清水を濾過循環させ衛生的かつ軽量簡単な構造で育成することができ、室内観賞植物類を育成するのに好適な循環噴水植木鉢を提供することにある。
【０００４】
【課題を解決するための手段】
上記目的を達成するための手段は、前記特許請求の範囲に記載したとおり、請求項１の発明は、上面が開放された容器とその容器内に収容されたすのこ状仕切板を設け、その上に敷きつめた濾過シートで、清水された水を下部タンクに貯え、その水をパイプ付き手動ポンプで水を汲み上げ上部にあるホースに設けた数箇所の噴射穴より水を噴射させ、遊び感覚で植物を育成させることを特徴とする。
【０００５】
【発明の実施の形態】
発明の実施の形態について、実施例の図面を参照して説明する。
図１は、本発明の一実施形態を示す斜視図である。図２は、本発明の一実施形態を示す平面図である。
【０００６】
上面が開放された容器（１）とその容器内に収容されたすのこ状仕切板（２）と、その上に敷かれた濾過シート（３）と、パイプ付き手動ポンプ（５）の構成からなる。
【０００７】
図３は、本発明の一実施形態を示す断面図を示し、ポンプ吸水口（８）の状態と、水噴射穴（１０）から水を噴水できる状態を示す。
また、パイプ受け台（６）の状態と、排水穴（９）の状態を示している。
循環させている水が古くなれば、簡単に排水穴（９）の排水栓を抜くことにより水を入れ替えることができる構造である。
【０００８】
図４は、本発明の一実施形態を示す部分拡大断面図を示す。
本発明のパイプ（１１）をパイプ止めバンド（７）で取付けている状態を示す。
【０００９】
容器（１）は、プラスチック、その他の軽量な容器を使用する。
【００１０】
パイプ付き手動ポンプ（５）を軟質材で構成し、手で握ったり、放したりした時に内部の開放弁と閉塞弁の作用によりポンプ吸水口（８）から水を吸いあげ上部のパイプ（１１）に空気圧により水を加圧送水する。
【００１１】
パイプ（１１）はパイプ止めバンド（７）でパイプ受け台（６）に固定されていて、容器（１）の内方向に向かって数箇所の水噴射穴（１０）が設けられている。手動ポンプの操作ごとに加圧送水された水は、この水噴射穴（１０）から内側に向かって水量の多少、強弱を手加減しながら四方から噴射できる。
【００１２】
噴射放水された水は、容器（１）内の土壌を通過し、濾過シート（３）及び、すのこ状の仕切り板（２）を通過して水タンク（４）内に清水として貯水し、再度、循環水として使用される。
【００１３】
水の巡回回数、乾燥及び蒸発により水量が減少すれば、容器（１）の上から順次新しい水を追加すればよい。
【００１４】
手動ポンプの他、電動ポンプで水を噴射する状態を、水量の多少や強弱等を任意に手動制御することにより代替えすることも可能である。
【００１５】
【発明の効果】
本発明は、上記のように構成されているので、下記のような効果を有する。
（１）遊び感覚で植物の育成が楽しめる。
（２）噴水式で子供でも楽しく水やりができる。
（３）植木観察の教本にも適する。
（４）噴水式で一家団らんの食卓に設置が可能である。
（５）循環型濾過形式のために、常に浄化された水を植物に与えることが可能である。
（６）液体肥料の使用も可能であり、衛生的である。
（７）循環させている水が古くなれば簡単に水を入れ替えることができる。
【図面の簡単な説明】
【図１】本発明の一実施形態を示す斜視図である。
【図２】本発明の一実施形態を示す平面図である。
【図３】本発明の一実施形態を示す断面図である。
【図４】本発明の一実施形態を示す部分拡大断面図である。
【符号の説明】
１　　容器
２　　すのこ状仕切板
３　　濾過シート
４　　水タンク
５　　パイプ付き手動ポンプ
６　　パイプ受け台
７　　パイプ止めバンド
８　　ポンプ吸水口
９　　排水穴
１０　水噴射穴
１１　パイプ
【図１】
2004073174.tif 000003
【図２】
2004073174.tif 000004
【図３】
2004073174.tif 000005
【図４】
2004073174.tif 000006
(57)【要約】【目的】高所、低所問わず果樹等を痛めずに確実に、安全に収穫作業を行える装置にする。【構成】柄１の片方にスプリング６を介して、ワイヤーの片方を固定及びへた切断刃出し入れ装置４にワイヤー３を固着し、一方のワイヤー３に網２の口部を開閉スライド自在に装着し、柄１の中を通り柄１のもう一方に出して、網開閉ハンドル７に固着した装置。【選択図】　図１
2004073171.tif 000002
【特許請求の範囲】
【請求項１】
果樹などを網で収穫するさい、網の口を収縮自在にさせて確実に収穫する装置。
【請求項２】
請求項１の収縮時に、へたを切断する刃物を付けた収穫装置。
【発明の詳細な説明】
【０００１】
本発明は、網で果樹などを収穫する装置で、その網の口を開閉自在にして、果樹などを確実に網の中に収穫する装置。
堅い、へたは網の口が収縮すると、刃物が突起しへたを切断し収穫する装置。
【０００２】
従来、高所の収穫は、高枝バサミ又は、脚立で収穫していた。
高枝バサミは確実に収穫出来なかった、脚立での収穫は安全性に欠けている。低い所のトマト、なすび等の収穫もそれらの木の中に手とハサミを入れ収穫していたが、虫に刺される事があった。
【０００３】
本発明は、果樹など収穫物を網の中に入れその口を締めて、堅いへた等は刃物が出て切断し、収穫物は網の中に収納して、収穫する。
【０００４】
網の口を開閉自在にするため、硬質のワイヤー又は、ピアノ線等が網の口部をスライド自在して柄の中を介して引っ張ると閉じ、押すと開くように収穫網を作動せしめた装置。
収穫網のワイヤー等を引っ張りきると、へた切断刃物が出て収穫物のへたを切断する装置。
収穫網が開いているときは、刃物は収納していて安全な構造にした。
【０００５】
本発明は、以上のような構成で、収穫物は網の中へ収集されて果樹等が傷つかずに収穫出来る、長い柄・短い柄の選定で高所と低所の果樹等を安全に確実に収穫できる。
【０００６】
本発明を実施するために、最初は網を開いた状態つまりワイヤー等を網開閉ハンドルで押した状態で、その網を果樹等に被せワイヤー等介した網開閉ハンドルを引っ張れば、へたまで網の口が閉じて、その状態で柄を引っ張ればへたが折れて網の中に落ちる。また堅いへたはワイヤーを引っ張りきると、切断刃物が出てへたを切断し網の中に落ちて収穫出来る装置である。
【０００７】
本発明は以上のような構成だから、果樹等は網の中に収穫され、収穫物を痛める事はない、高所の果樹等も柄の選定で脚立を使用する事なく安全に確実に収穫出来る。トマト、なすび等の低所での収穫も虫刺されの心配もなく安全に収穫出来る。
【図面の簡単な説明】
【図１】本発明の斜視図
【図２】網の開いた時の、へた切断部の拡大詳細図
【図３】網の閉じた時の、へた切断刃が突起した拡大詳細図
【符号の説明】
１　柄
２　網
３　ワイヤー，又はピアノ線等
４　ワイヤーの片ほうを固定及び、へた切断刃出し入れ装置
５　へた切断刃
６　スプリング
７　網開閉ハンドル
８　へた切断刃替えピン
【図１】
2004073171.tif 000003
【図２】
2004073171.tif 000004
【図３】
2004073171.tif 000005
(57)【要約】【課題】脱着できるふたの付いた犬のふん始末具を提供する。【解決手段】ふた（５）の一方に、柄（１）にさし込めて脱落しにくいＬ字型切り込み（４’）をした凸片（４）を設け、反対側に可倒式フック（７）を設け、この可倒式フック（７）の左右任意の対称位置に、Ｌ型ずれ止め（６）を装着することを特徴とする。【選択図】　図１
2004073176.tif 000002
【特許請求の範囲】
【請求項１】
ふた（５）の一方に、柄（１）にさし込めて脱落しにくいＬ字型切り込み（４’）をした凸片（４）を設け、反対側に可倒式フック（７）を設け、この可倒式フック（７）の左右任意の対称位置に、ずれ止め（６）を装着した脱着できるふたの付いた犬のふん始末具。
【発明の詳細な説明】
【０００１】
【発明の属する技術分野】
この発明は、ふたを外してヘラとして使い、犬のふんを完全に後始末する犬のふん始末具に関するものである。
【０００２】
【従来の技術】
従来より、犬のふんを落下途中で受けてしまう構造のものはあるが、脱着できるふたの付いた構造のものは少ない。（例えば、特許文献１参照）。
【０００３】
【特許文献１】
特開平５−２７６８４８号公報（第１頁−２頁、第３図）
【０００４】
【発明が解決しようとする課題】
これには、次のような欠点があった。
（イ）ふたは脱着できる構造になっているが、ヘラとしての機能を考えていない。
（ロ）ふんを採集するたびに、両手に本体とふたを分けて持たなければならない。
本発明は、以上の欠点を解決するためのものである。
【０００５】
【課題を解決するための手段】
ふた（５）の一方に、柄（１）さし込めて脱落しにくいＬ字型切り込み（４’）をした凸片（４）を設け、反対側に可倒式フック（７）を設け、この可倒式フック（７）の左右任意の対称位置にＬ型ずれ止め（６）を装着する。
本発明は、以上の構成よりなる脱着できるふたの付いた犬のふん始末具である。
【０００６】
【発明の実施の形態】
以下、本発明の実施の形態について説明する。
（イ）網袋（３）と柄（１）とからなるふん始末具のワク（２）をふさぐ大きさで、軽量材質の円形ふた（５）の一方に、柄（１）にさし込めて、かつ脱落しにくく簡単に外せるようなＬ字形状の切り込み（４’）を施した凸片（４）を設ける。
（ロ）ふた（５）の凸片（４）と反対側に、指かけのできる可倒式フック（７）を設ける。この構造については、小さな長方形の鉄板の中央に円筒をつくり、その円筒に指かけができるＵ字曲がりをつけた丸棒をはめ込み、ぬけないように末端に半球状の頭を設けた、円筒の中でＵ字曲がりをもった丸棒がクルクル動くようにしたものである。（図３に示す）。
（ハ）ふた（５）の可倒式フック（７）の左右任意の対称位置に、ワク（２）よりふた（５）がずれないためのＬ型ずれ止め（６）を装着する。
本発明は以上のような構造で、これを使用するときは、網袋（３）にビニール袋を入れて、ワク（２）の部分で外側に折り返し、柄（１）にふた（５）を凸片（４）でさし込み、ふた（５）を閉じた状態で持ち、犬が排便姿勢になったとき可倒式フック（７）に指をかけ、ふた（５）を開けてふんを落下途中で採集する。
通常は片手のみで実行できる。
ふんを受けそこねて地上に落としたとき、ふた（５）を柄（１）から外してヘラとして使い、ふんをビニール袋に収納してしまうので、ヘラに使いたい石ころや木片をさがす必要がない。（図５に示す）。
図３に示す、フック（７）を可倒式にしたのは、フック（７）をふた（５）側に倒したとき、ふた（５）面からの出っぱりが小さくなるので、重ねてもスキ間があかなくなり、輸送運搬時のコスト軽減になる。
なを図４に示すように、凸片（４）と可倒式フック（７）の間に、個性表現スペース（８）として、愛犬の名前シールや写真を防水加工等して貼り、散歩途中他人とすれちがっとき、同一品を持っているときの抵抗感を無くすことができる。
【０００７】
【発明の効果】
軽量で単純な構造なので、散歩中、重さが苦にならないのと、通常は片手だけで使用でき、ふんをあとに残さない完全始末が可能で、ふんと一緒に捨てるビニール袋はスーパーなどの小さなレジ袋を再利用すれば、費用がかからない。
【図面の簡単な説明】
【図１】本発明の分離斜視図である。
【図２】本発明の使用時の斜視図である。
【図３】本発明の可倒式フックの拡大図である。
【図４】本発明のふたの他の実施例を示す平面図である。
【図５】本発明のふたをヘラとして使用時の斜視図である。
【符号の説明】
１　柄
２　ワク
３　網袋
４　凸片
４’Ｌ字型切り込み
５　ふた
６　Ｌ型ずれ止め
７　可倒式フック
８　個性表現スペース
【図１】
2004073176.tif 000003
【図２】
2004073176.tif 000004
【図３】
2004073176.tif 000005
【図４】
2004073176.tif 000006
【図５】
2004073176.tif 000007
(57)【要約】【課題】従来の清涼飲料水及び果実飲料水、乳清飲料水はすべてが人間用の飲料水でありペット用としての清涼飲料水及び果実飲料水、乳清飲料水は無く、ペット用としての清涼飲料水及び果実飲料水、乳清飲料水の開発は多くのペット愛好家に待たれていた。【解決手段】モリンダ・シトリフォリア（和名：ヤエヤマアオキ）を原料として製造した、清涼飲料水及び果実飲料水、乳清飲料水を市場に提供する事によって解決できる。【特許請求の範囲】
【請求項１】
ペットが飲料する清涼飲料水及び果実飲料水、乳清飲料水の製造販売
【請求項２】
ペットが飲料する清涼飲料水及び果実飲料水、乳性飲料水の原材料の使用権
材料名：モリンダ・シトリフォリア（和名：ヤエヤマアオキ）
【発明の詳細な説明】
【０００１】
【考案の属する技術分野】
【請求項２】の原材料で、加工したペット用の清涼飲料水及び果実飲料水乳清飲料水を製造する事
【０００２】
【発明の実施の形態】
【請求項２】の材料を原材料として製造した清涼飲料水又は果実飲料水乳清飲料水を何匹かの犬に飲料させてみる。
【０００３】
【考案の効果】
何匹かの犬に水と清涼飲料水をそれぞれ、別々の容器に入れて同時与えてみるとすべての犬が清涼飲料を飲み干し、水の方には感心を示さなかった。
(57)【要約】［課題］家庭の冷凍庫で簡単にアイスキャンデーが製れるようにしたい。［解決手段］プラスチックなどの容器に、水といろいろ取り合わせた味成分との液を、詰めて、容易に開けうる蓋をして密閉し、容器の長辺より適当に長い柄（スティック）を別に添えて、それを冷凍する場合に、蓋を開けて容器の液の中に柄を、先端は沈めて他端は容器の縁から食み出すように、差し込んで、冷凍するようにした、フリーザーキャンデーと呼ぶことにする、アイスキャンデー用液缶詰。【選択図】図１
2004073166.tif 000002
【特許請求の範囲】
【請求項１】
プラスチックなどの容器に、水といろいろ取り合わせた味成分との液を、詰めて、容易に開けうる蓋をして密閉し、容器の長辺より適当に長い柄（スティック）を別に添えて、それを冷凍する場合に、蓋を開けて容器の液の中に柄を、先端は沈めて他端は容器の縁から食み出すように、差し込んで、冷凍するようにした、フリーザーキャンデーと呼ぶことにする、アイスキャンデー用液缶詰。
【発明の詳細な説明】
【０００１】
［発明の属する技術分野］
家庭の冷蔵庫で簡単にアイスキャンデーが製れるようにしたい。
【０００２】
［従来の技術］
従来のアイスキャンデー用の液はプラスチックの管に入れられており、家庭の冷凍庫で氷にして、管から取り出して食べるようになっていた。しかしこの方法では柄（スティック）を設けることが出来ず、昔のアイスキャンデーのようには製れなかった。
【０００３】
［発明が解決しようとする課題］
そこで昔のアイスキャンデーのように柄を設けうるものを開発したい。
【０００４】
［課題を解決するための手段］
そのまま冷凍すれば、柄の付いたアイスキャンデーとなるものが発明できないかといろいろ考えてみたが、全体を包むものはどうしても柄のところに氷がついてしまうし、柄を外に出して包むとそこからの液漏れを完全に防ぐには相当なコストを掛けなくてはならない。そこで液と柄を別々にして包み、冷凍庫で凍らす際に柄を液に差し込んで凍らすことを考え付いた。
その本発明は「特許請求の範囲」に簡潔に述記してある。
【０００５】
［発明の効果］
今日、以前のようにアイスクリームやアイスシャーベットなどが売れない。総じて品質が低下したことにもよるが、冷蔵庫の普及と自動販売機の普及により、冷たい飲料が手軽に摂れるようになったからであろう。
冷たい飲料も好ましいものではあるが、もっと冷たいものになると氷菓子と言うことになる。
氷菓子をメーカーで製って冷凍車で各店舗に運び、冷凍ショウケースで販売するには膨大なエネルギーを食う。そうであっても飲料との競争上販価を上げることはできない。ひっきょう赤字販売となり、氷菓子を置く店舗は少なくなってしまった。
そのエネルギーを節約するには、製造・流通・販売上の冷凍エネルギーの使用を中止して、家庭の冷凍庫だけを活用すると好い。
本発明はこの思想に基づいたもので、低コストに提供できるので、時には氷菓子で涼を楽しみたい人や子供には大いに歓迎されよう。
【図面の簡単な説明】
【図１】図面は本発明の容器の蓋を開けて柄を差し込んで冷凍する態勢にあるものである。
【図１】
2004073166.tif 000003
(57)【要約】【課題】たばこの葉と沈香木の素材をブレンドし、両者の特性を最大限有益に活用したプレミアム商品としての本沈香木ブレンドたばこを商品化し、プレミアム新ブランドの積極的市場投入によるマーケティングインヘシフトした新規市場の開拓を図ろうとするものである。【解決手段】本沈香木ブレンドたばこは、アガロスピロールの含有率が高い東南アジアに産出する沈香木の素材の選定及び相乗効果が高くなる現存の葉たばことのマッチングと調合により商品化する。【選択図】図１
2004073168.tif 000002
【特許請求の範囲】
【請求項１】
香木の一種でジャングルに自生するチンチョウゲ科の常緑樹である沈香木から得られるアガロスピロールを含有することを特徴とするたばこ臭アロマコロジー効果作用香料組成分。（以下、本沈香木ブレンドたばこ、という。）
【発明の詳細な説明】
【０００１】
【発明の属する技術分野】本発明は、新商品たばこの開発において、沈香木からえられる生理・心理的効果及び不眠症、ストレス、イライラの解消効果に優れた新商品たばこの開発素材として活用する技術に関する。
【０００２】
【従来の技術】たばこ商品は国内外において多種多様に存在するが、それらは一般にはたばこの葉及びたばこの葉に香料を含有し、製造、商品化をしているものである。
【０００３】
本発明におけるように、たばこの葉と沈香木の素材をブレンドし、両者の特性を最大限有益に活用したプレミアム商品としての存在はしない。
【０００４】
【発明が解決しょうとする課題】本発明においては、現存ブランドにプレミアム商品としての新技術を投入し、プレミアム新ブランドの積極的市場投入によるマーケティングインヘシフトした新規市場の開拓を図ろうとするものである。
【０００５】
【課題を解決するための手段】請求項１に記載の本沈香木ブレンドたばこは、アガロスピロールの含有率が高い東南アジアに産出する沈香木の素材の選定及び相乗効果が高くなる現存の葉たばことのマッチングと調合により現存の製造精度の処理工程を経た後、商品化されることを特徴とする。
【０００６】
【発明の実施の形態】以下、本発明の実施の形態を図面を参照して説明する。
【０００７】
図１は、沈香木とたばこの葉を粉末化し、双方をブレンドした後、現存の製造工程処理による新商品化することを特徴とする。
【０００８】
【発明の効果】本発明による沈香木ブレンドたばこは、超低副流煙の実現、ロータール・ニコチン化の実現、呼吸器等の保身及び生理・心理的効果の向上等の効果を期待することができる。
【図面の簡単な説明】
【図１】沈香木とたばこの葉を粉末化し、ブレンドした後、現存の製造処理工程後、商品化する流れを示すものである。
【符号の説明】
１、沈香木
２、たばこの葉
３、粉末化
４、ブレンド
５、商品化
【図１】
2004073168.tif 000003
(57)【要約】【課題】園芸作物に個別かつ容易に敷設でき、マルチとしての一般的な効果を具備し、土壌の保護および園芸作物の生育促進の機能をもち再使用や再利用可能な園芸用マルチカバーを提供する。【解決手段】扁平な底のない円柱又は角柱上面（１）中央の穴（２）から作物が出るように上から被せ、側面（３）を地中に埋め留め具（４）で固定し園芸作物を栽培する土壌（５）の表面を覆うことを特徴とする。【選択図】図２
2004073169.tif 000002
【特許請求の範囲】
【請求項１】
扁平な底のない円柱又は角柱上面（１）中央に穴（２）を設け、側面（３）を有する園芸用マルチカバー。
【発明の詳細な説明】
【０００１】
【発明の属する技術分野】
本発明は、園芸作物を栽培する土壌の表面を覆い、土壌の保護や園芸作物の生育促進を図るための園芸用マルチカバーに関するものである。
【０００２】
【従来の技術】
従来、農業用マルチシートは、ロール状に巻かれた塩化ビニールやポリエチレンフィルム等で、作物を植え付ける土壌の畝を覆って敷設さる。その素材や色により異なるが、地温を上げる、地温の上昇を抑える、肥料養分の流出を防ぐ、土壌水分を保持する、作物の汚れを防止する、雑草を防除する、病害虫を回避する等のマルチ効果があるとされている。一般に使用後は廃棄物となる。
【０００３】
【発明が解決しようとする課題】
これは次のような欠点があった。
（イ）　従来の農業用マルチシートは、敷設の取り扱いが行い難く、使用中に端が剥がれたり捲れたりし易い。
（ロ）　個別の作物に敷設し難く、家庭菜園や小規模の園芸栽培には適さない。
（ハ）　繰り返し使用し難く、使用後は廃棄物となる。
本発明は、これらの欠点を解決するためのものである。
【０００４】
【課題を解決するための手段】
扁平な底のない円柱又は角柱上面（１）中央に穴（２）を設け、側面（３）を有する園芸用マルチカバーを提供することにより、上記課題を解決するものである。
【０００５】
【発明の実施の形態】
以下、本発明の実施形態について説明する。園芸作物を土壌に播種又は定植した後に、扁平な底のない円柱又は角柱上面（１）中央の穴（２）から作物が出るように上から被せ、根本周囲の土壌（５）を覆う。作物が穴より大きく生育している場合は、中心から外周に向け切り込みを入れ、これを広げて被せる。側面（３）を地中に埋め、留め具（４）で固定する。
素材に硬質樹脂等を使用することで繰り返し使用が可能である。また、ポリエチレンテレフタレートなどの再利用可能な素材や土壌還元性のある素材の使用も可能である。
【０００６】
【発明の効果】
本発明を使用することにより、家庭菜園や小規模な園芸栽培において容易かつ個別に作物の土壌を覆うとができ、マルチ効果が期待できる。また、使用中に剥がれたり捲れたりすることがない。さらに、繰り返しの使用や再利用が可能で、廃棄物の減少や資源の有効利用になる。
【図面の簡単な説明】
【図１】本発明の斜視図
【図２】本発明の敷設状態断面図
【符号の説明】
１　上面
２　穴
３　側面
４　留め具
５　土壌
【図１】
2004073169.tif 000003
【図２】
2004073169.tif 000004
(57)【要約】［課題］　面倒な仕掛の巻取りや．ライントラブルを軽減し．スムーズな巻取り移動を実現する［解決手段］　保持しやすいベース部に．回転巻取り出来る仕掛巻を取り付け．輪ゴムにより回転のセーブと釣竿への取付けを行う。【選択図】　図１
2004073165.tif 000002
【特許請求の範囲】
【請求項１】
簡単に釣竿に取り付け出来る．手持ちベース付きの回転式釣仕掛巻。
【発明の詳細な説明】
【０００１】
【発明の属する技術分野】
手持ち又は釣竿への取り付けも出来るベース部と．回転する仕掛巻部を一体化した．巻取り能力の高い仕掛巻である。
【０００２】
【従来の技術】
従来．仕掛を仕掛巻に巻くときは．糸を指でつまみ．手を回して巻くなどしていたが．巻取りに手間が掛かり．煩雑な釣場移動やロングライン使用には不向きといえた。
【０００３】
【発明の実施の形態】
本発明は．仕掛の迅速確実な巻取りを可能にし．又仕掛のたるみだけを巻取り釣竿へ取り付けも出来る物である。
それを図面について説明すれば．糸止めボタン　毛鉤収納部他を施した仕掛巻部と．ラインガイド　フィンガーポイント　輪ゴムを施したベース部を．スリーブを介して取り付けた物である。
【０００４】
【発明の効果】
この仕掛巻を使うことにより．迅速な釣場の移動．仕掛の交換が行え．無用なライントラブルも避けられ．たのしく釣に集中出来る物である。
【図面の簡単な説明】
【図１】正面図である。
【図２】上面図である。
【符号の説明】
１）　ベース部　　　　　　　　８）　切れ込み
２）　ＥＶＡ部　　　　　　　　９）　輪ゴム取付け穴
３）　スプール前部　　　　　１０）　軸ボルト
４）　巻止めボタン　　　　　１１）　ラインガイド
５）　フックキーパー　　　　１２）　可倒式ハンドル
６）　フィンガーポイント　　１３）　ＥＶＡ部外周
７）　ハリスガイド　　　　　１４）　上面図方向
１５）　スプール後部
１６）　補強仕切り
【図１】
2004073165.tif 000003
【図２】
2004073165.tif 000004
(57)【要約】【課題】この発明は、ペットの糞を取るときに使うもので、シャベル状の本体に袋を貼付して袋の外側よりシャベル状の本体で糞をすくい取り、糞を袋の中へすべり落とすようにして使うペットの糞取り具を提供する。【解決手段】本体（１）に接着テープ（２）を設け、接着テープ（２）の部分を本体（１）に貼付したことを特徴とする。【選択図】　図１
2004073164.tif 000002
【特許請求の範囲】
【請求項１】
本体（１）に接着テープ（２）を設け、接着テープ（２）の部分を本体（１）に貼付したペットの糞取り具。
【発明の詳細な説明】
【０００１】
【発明の属する技術分野】
この発明は、犬などのペットの糞を取るときに使うもので、シャベル状の本体に袋を貼付して袋の外側よりシャベル状の本体で糞をすくい取り、糞を袋の中へすべり落とすようにして使えるペットの糞取り具に関するものである。
【０００２】
【従来の技術】
従来、犬などのペットの散歩をする人は、片方の手に綱を持って、もう一方の手に、たとえば金属製のシャベルなどを持っていた。
または、糞を持ち帰るための袋だけを携帯する人もいた。
【０００３】
【発明が解決しようとする課題】
これはつぎのような欠点があった。
犬などのペットが散歩中にした糞は、持ち帰るのが常識である。
そのため、多くの人が金属製のシャベルや袋などを携帯している。
ところが金属製のシャベルは、コンクリートの道路では使いにくかった。
又、糞取り具も色々な形の物や構造の物が市販されているが、高価であったり、使用方法が面倒で使いにくかった。
シャベルがない時は、手で糞を直接摘まみ、糞を袋に入れなければならず、そのときの感触がいやだという人も多かった。
本発明は、以上のような欠点をなくすためになされたものである。
【０００４】
【課題を解決するための手段】
本体（１）に接着テープ（２）を設ける。
接着テープ（２）の部分を本体（１）に貼付する。
本発明は、以上のような構成よりなるペットの糞取り具である。
【０００５】
【発明の実施の形態】
以下、本発明の実施例について説明する。
半円形状でシャベル状の本体（１）に接着テープ（２）を設ける。
シャベル状の本体（１）の素材は硬質の紙製にする。
シャベル状の本体（１）の先端は、円形状の凸形にする。
シャベル状の本体（１）のもう一端は先端は、円形状の凹形にする。
接着テープ（２）は両面を接着できるように両面テープを使う。
本発明は以上のような構造で、これを使用するときは、接着テープ（２）を剥がして糞を収納する袋（３）の中側の中央に貼付する。
シャベル状の本体（１）と袋（３）を一体化する。
袋（３）と接着テープ（２）の接着部を少しなくして、袋（３）の中でシャベル状の本体（１）は、使いやすいように角度も自由に調整ができるようにした。
犬などのペットの糞を取る時は、袋（３）を持ち、袋（３）を半分を外側に折ると、シャベル状の本体（１）の先端部分が出る。
シャベル状の本体（１）の下側を袋（３）の上から持ち糞をすくい取る。
使い終わったシャベル状の本体（１）をゴミとして処理するときは、袋の中の糞と共に、有害なガスがでないため、可燃ゴミとして処理することができる。
【０００６】
【発明の効果】
シャベル状の本体が金属製でないので、コンクリートの道路でも使いやすくなった。
シャベル状の本体が軽いので、携帯するのに抵抗を感じなくなった。
使い方がとても簡単になった。
構造も簡単になった。
犬などのペットの糞を取る時、手を汚さず、すくい取って、袋の中にすべり落とすことができるので、いままでの手袋やビニール袋で手で糞を直接摘まむこともなくなった。
可燃ゴミとして処理することができる。
本発明は、トイレットペーパーなどの芯などを使えば自分で手作りでも、半円形状でシャベル状の本体が作れるので資源の無駄使いを無くすこともできる。
【図面の簡単な説明】
【図１】本発明を表側から見た斜視図である。
【図２】本発明を裏側から見た斜視図である。
【図３】本発明に袋を装着した状態を示した説明図である。
【図４】本発明の使用状態を示した説明図である。
【図５】本発明の使用状態を示した斜視図である。
【図６】本発明の使用状態を示した説明図である。
【符号の説明】
１　本体
２　接着テープ
３　袋
【図１】
2004073164.tif 000003
【図２】
2004073164.tif 000004
【図３】
2004073164.tif 000005
【図４】
2004073164.tif 000006
【図５】
2004073164.tif 000007
【図６】
2004073164.tif 000008
(57)【要約】　　　（修正有）【課題】魚に釣り針が飲み込まれず、釣り針をはずす手間をなくし、魚に苦痛を与えないようにする。【解決手段】釣り針の軸の軸上部を延長した部分を、釣り針の広さの４倍程度まで左に曲げることで、魚が喉の奥まで飲み込めないようにする。【選択図】図３
2004073163.tif 000002
【特許請求の範囲】
【請求項１】
本発明以前の釣り針の長さ（２）を、幅（１）の２倍程度まで上部（３）を延長した部分（４）を、折り曲げる事によって、曲げられた部分（５）がじゃまになり、喉の奥まで飲み込まれる事の無い釣り針。
【発明の詳細な説明】
【０００１】
【産業上の利用分野】
この発明は、よく釣り針を飲み込んでしまう魚を、飲み込まれる事を防ぎ、釣り上げるものである。
【０００２】
【従来の技術】
図１の様に従来の釣り針は、飲み込まれない工夫がされていない。
【０００３】
【発明が解決しようとする課題】
これには次のような欠点があった。
（イ）釣り針を飲み込まれた場合、はずさなければ、次の釣りが出来ないが、はずす時間は無駄であり長い。
（ロ）釣り上げた魚が、釣り針を飲み込んでいた場合に、釣り針を付けたまま放流するのでは、魚にとって苦痛であり、又釣り人にとっても気分の良いものではない。
本発明は、これらの欠点を除くためになされたものである。
【０００４】
【課題を解決するための手段】
本発明以前の釣り針の長さ（２）を、幅（１）の２倍程度まで、上部（３）を延長した部分（４）を折り曲げる。
本発明は、以上の様な構造の釣り針である。
【０００５】
【発明の実施の形態】
以下、本発明の実施例について説明する。
（イ）本発明以前の長さ（２）の上部（３）を、延長する。
（ロ）延長した部分（４）を、折り曲げる。
本発明は以上の様な構造で、使用方法は、本発明以前の釣り針の使用方法と全く同じである。
【０００６】
【発明の効果】
これには次のような効果がある。
（イ）実験済みであるが、魚に釣り針を喉の奥まで飲み込まれない。
（ロ）上記の結果、飲み込まれた釣り針をはずす手間が皆無となる。
（ハ）釣り上げた魚を、放流する際、魚に苦痛を与えない。
本発明は、これらの効果をもたらすものである。
【図面の簡単な説明】
【図１】本発明以前の、正面図である。
【図２】本発明以前の上部を、延長した正面図である。
【図３】本発明の、正面図である。
【図４】実際に、本発明の釣り針に魚が掛かった正面図である。
【符号の説明】
１幅
２長さ
３上部
４延長した上部部分
５折り曲げた部分
【図１】
2004073163.tif 000003
【図２】
2004073163.tif 000004
【図３】
2004073163.tif 000005
【図４】
2004073163.tif 000006
【手続補正書】
【提出日】平成15年1月25日(2003.1.25)
【手続補正１】
【補正対象書類名】明細書
【補正対象項目名】請求項１
【補正方法】変更
【補正の内容】
【請求項１】
本発明以前の釣り針の軸（２）を、広さ（１）の４倍程度まで軸上部（３）を延長した部分（４）を、左に曲げる事によって、曲げられた部分（５）が邪魔になり、喉の奥まで飲み込まれる事の無い釣り針。
【手続補正２】
【補正対象書類名】明細書
【補正対象項目名】０００４
【補正方法】変更
【補正の内容】
【０００４】
【課題を解決するための手段】
本発明以前の釣り針の軸（２）を、広さ（１）の４倍程度まで、軸上部（３）を延長した部分（４）を左に曲げる。
本発明は、以上の様な構造の釣り針である。


【手続補正３】
【補正対象書類名】明細書
【補正対象項目名】０００５
【補正方法】変更
【補正の内容】
【０００５】
【発明の実施の形態】
以下、本発明の実施例について説明する。
（イ）本発明以前の軸（２）を、広さ（１）の４倍程度まで軸上部（３）を延長する。
（ロ）延長した軸上部部分（４）を、左に曲げる。
本発明は以上の様な構造で、使用方法は、本発明以前の釣り針の使用方法と全く同じである。


【手続補正４】
【補正対象書類名】明細書
【補正対象項目名】図２
【補正方法】変更
【補正の内容】
【図２】本発明以前の軸上部を、延長した正面図である。


【手続補正５】
【補正対象書類名】明細書
【補正対象項目名】符号の説明
【補正方法】変更
【補正の内容】
【符号の説明】
１広さ
２軸
３軸上部
４延長した軸上部
５左に曲げた延長軸上部


【手続補正６】
【補正対象書類名】図面
【補正対象項目名】図３
【補正方法】変更
【補正の内容】
【図３】
2004073163.tif 000007
【手続補正７】
【補正対象書類名】図面
【補正対象項目名】図４
【補正方法】変更
【補正の内容】
【図４】
2004073163.tif 000008
(57)【要約】【課題】本考案は、電気式洗濯機槽内を強制的に乾燥させるものである。【解決手段】電気洗濯機に温風、または熱風を発生する装置Ａと、その発生した温風または、熱風を導く配管Ｂを配置し、洗濯が終了した時点で電気式洗濯機制御部からの制御で一定時間、装置Ａで発生した温風または、熱風を電気洗濯機槽内に導くことにより、電気洗濯機内を強制的に乾燥させて黴の発生を防止する。当該配管の排出口は、洗濯槽下部より排出し、洗濯槽下部より上部に暖められた空気が上昇し一様に洗濯槽ドラムを乾燥させることが出来る。【選択図】　　　図１
2004073464.tif 000002
【特許請求の範囲】
【請求項１】
電気式洗濯機槽内に温風、或いは、熱風を送風し、洗濯終了後速やかに洗濯機槽内を乾燥させて黴の発生を抑制することを特徴とする。
【発明の詳細な説明】
【０００１】
【発明の属する技術分野】
本考案は、電気式洗濯機槽内の黴を発生しにくくする方法に関するものである。
【０００２】
【従来の技術】
電気式洗濯機において、洗濯終了後は、槽内を自然乾燥によっていたために、構造上、不完全な乾燥であったり、或いは、全く乾燥しないために、残留する水分と有機物のために、黴が発生しやすかった。
実用の電気式洗濯機では、発生した黴を特殊洗剤などで、洗濯物を入れないで、空運転で内部に付着した黴を、洗浄や酵素の力で黴を分解した。または、洗濯槽ドラムを直接取り外して分解、黴の除去を手作業にて行っていた。
【０００３】
しかし、特殊洗剤等による、黴除去の方法は、一時的で、定期的に実施しなければならない欠点があった。
【０００４】
健康面では、洗濯機槽内の黴の発生は、洗濯物に付着し、アレルギー性疾患等の発症を促す結果となった。
【０００５】
この改善策として、洗濯終了後、洗濯槽内に、強制的に温風、或いは熱風を送風することで槽内を乾燥させ、黴の発生を抑えることを特徴する。図１はこの方法による構造の概略図の説明図であって、図２で、制御方法の概略図である。
【０００６】
【発明が解決しようとする課題】
解決しようとする問題点は、洗濯槽内や洗濯槽ドラム等を乾燥させることによって黴の発生を防止する点である。
【０００７】
【課題を解決するための手段】
本発明は、電気式洗濯機槽内に、洗濯終了時に強制的に温風または、熱風を送風することで洗濯機槽内や、洗濯槽ドラム等を乾燥させることを特徴とする。
【０００８】
【発明の実施の形態】
電気式洗濯機槽内の下部へ温風または熱風を送風するようにし、洗濯機槽内を下部から、上昇する熱で洗濯槽や洗濯槽ドラム等を一様に乾燥させ、特殊洗剤や、直接洗濯槽ドラムを分解することなく、黴の発生を事前に防止するこを可能とする方法で、最小の部品と温風、または熱風のみで実現した。
【０００９】
【実施例】
図１は、本考案装置の１実施例の断面図であって、図２は、制御の１実施例である。
【考案の効果】
黴はの発生の要素は、水分と有機物の存在である。その内、水分を除去することで、黴の発生を抑えるものである。
【図面の簡単な説明】
【図１】電気式洗濯機の簡単な断面図
【符号の説明】
１　　洗濯機蓋
２　　洗濯機蓋開閉検知スイッチ
３　　給水電磁弁
４　　給水口
５　　洗濯水循環ポンプ
６　　排水電磁弁
７　　排水口
８　　洗濯槽ドラム
９　　洗濯槽
１０　　洗濯槽主モータ
１１　　ドラム偏心検知センサー
１２　　洗濯槽回転軸ウォータシール
Ａ　　洗濯槽内乾燥用ファンおよびヒータ部
Ｂ　　温風または、熱風送風管
【図２】本発明の制御概念図で、洗濯のシーケンスは、電気式洗濯機制御部にて行われる。矢印の方向は制御の流れを示す。
【図１】
2004073464.tif 000003
【図２】
2004073464.tif 000004
(57)【要約】【課題】従来は高価な材料を使い、長い乾燥期間を置き、熟練木工職人の手作業に頼っているため、製品の価格を押し上げている。【解決手段】安価な材料による成型加工を容易にするため、卓上イ−ゼルの構造をシンプルにする。【選択図】　図９
2004073441.tif 000002
【特許請求の範囲】
【請求項１】
連結筒（２７、２８）に連結芯（３）を通して連結された開閉可能な前方平板（１）と後方平板（２）を骨格とする卓上イ−ゼル。
【請求項２】
キャンバス押さえ（７）を上下にガイドせし得る溝（４）を前方平板（１）に有する請求項１記載の卓上イ−ゼル。
【請求項３】
溝付き延長バ−（５）を装着し得る請求項１記載の卓上イ−ゼル。
【請求項４】
前方平板（１）の切り抜き部に、開閉できる受け板（１４）又は受け棒を設けたことを特徴とする請求項１記載の卓上イ−ゼル。
【請求項５】
前方平板（１）が、受け棒（３０）又は板付き受け棒（３１）を差し込む受け棒穴（２９）を有することを特徴とする請求項１記載の卓上イ−ゼル。
【発明の詳細な説明】
【０００１】
【発明が属する技術分野】
本発明は、卓上イ−ゼル本体の骨格、キャンバス受け及びキャンバス押さえに関するものである。
【０００２】
【従来の技術】
従来の卓上イ−ゼルの本体の骨格は、主に角材の組み合わせによって手工業的に造られている。
【０００３】
【発明が解決しようとする課題】
従来の卓上イ−ゼルは製品の見た目の美しさや豪華さ、強度等を考慮して長期に乾燥された高価な木材が使用され、又製造工程も熟練木工職人の手作業となるため、コスト高にならざるを得ない点である。
【０００４】
その他の欠点を挙げると、重量があって持ち運びが不便で、嵩張るため収納にも場所をとる。
【０００５】
【課題を解決するための手段】
本発明は、安価なプラスチックやアルミの成型加工による必要部品の生産を容易にするため、卓上イ−ゼルの骨格を平板２枚の単純な構造にする。
【０００６】
【発明の実施の形態】
本発明の実施の形態につい図面を参照して説明する。
図１は、卓上に設置された使用時の斜視図である。　くの字フック２４がフック穴２６（図２参照）に引っかけられ、前方平板１と後方平板２が使用時の角度に開かれ固定されている。　溝付き延長バ−５がバ−保持枠１０に差し込まれバ−固定ネジ１１で固定されている。　押さえ板８が溝４に挿入され、キャンバスの大きさによってキャンバス押さえ７が上下に移動できるようになっている。　前方平板１の下方に装備されている左右の受け板１４が上方から下方え約９０度に開かれ、キャンバスを受ける台座となっている。
【０００７】
図３は溝付き延長バ−５、押さえ板８とそれと一体になっているキャンバス押さえ７、キャンバス固定ネジ６及びバ−固定ネジ１１を分離した、バ−保持枠１０周辺の後方からの斜視図である。　キャンバス押さえ７を前方に突出させながら押さえ板８を溝４の後方上部より挿入する。　キャンバス押さえ７を固定するときは、キャンバス固定ネジ６を前方より後方の押さえ板ネジ穴９へネジ入れ固定する。　より大きなキャンバスを使用するときは、溝付き延長バ−５の下方部をバ−保持枠１０に挿入しバ−固定ネジ１１を枠ネジ穴１２とバ−ネジ穴１３にネジ入れて固定する。　これで溝４が延長されキャンバス押さえ７のより上部への移動を可能にしてある。　取っ手２１はこのイ−ゼルの持ち運びの際に使用する。
【０００８】
図２は前方平板１と後方平板２の間に付属品を収納した斜視図である。　前方連結筒２７と後方連結筒２８に連結芯３が挿入され２枚の平板が連結されている。　前方平板１と後方平板２を閉じると前方平板凹ロック２３と後方平板凸ロック２２で平板２枚はロックされる。
【０００９】
図４は受け板１４を前方平板１より取り外した斜視図である。　左右の受け板軸１８を前方平板１のくり抜き部分の左右の軸受け１９に挿入し受け板１４が開閉できるようになっている。　　受け板１４を閉じれば受け板凹ロック１６と受け板凸ロック１７（図２参照）でロックされる。　受け板１４を開くときは指入れ凹み２０に指先を入れ、受け板１４を引っかけて前方へ引き出し受け板軸１８を中心に回転させながら下方へ展開させると、受け板１４の下方部がストッパ−１５でブロックされ、キャンバスを受ける角度で停止し、キャンバスを受ける台座となる。　ここでは受け板１４を板状にしてあるが、棒状にして上下或いは左右に開閉させてキャンバスの台座にすることも可能である。
【００１０】
図８に示されている実施例では、前方平板１の下方部に幾つかの受け棒穴を設け、キャンバスの大きさに応じて適当な穴を選択し、受け棒３０を差し込んでキャンバスの台座となしたものである。
【００１１】
図９に示される実施例では、前方平板１の下方部の２カ所に受け棒穴２９を設け、板付き受け棒３１を差し込んでキャンバスの台座となしたものである。
【００１２】
図５、図６、図７は付属品を収納し前方平板１と後方平板２を閉じたときの正面図、背面図、側面図である。
【００１３】
【発明の効果】
本発明は、以上説明したように軽量で成型加工が容易な材料を使用し、構造を単純化した結果、以下に記載されるような効果をもたらす。
【００１４】
プラスチックやアルミの成型加工で、部品の制作時間が短縮され、しかも安価に量産出来る。
【００１５】
完成品への組み立てが簡単なため、熟練木工のような職人が不要で、人件費を大幅に削減できる。
【００１６】
不使用時には薄型のノ−トパソコンのようにコンパクトに納まるので場所を取らず、又軽量なので持ち運びにも便利である。
【図面の簡単な説明】
【図１】使用時の斜視図である。
【図２】付属品が収納された状態の斜視図である。
【図３】溝付き延長バ−、キャンバス押さえ、固定ネジ等をばらしたバ−保持枠周辺の後方斜視図である。
【図４】キャンバス受けを取り外した状態の斜視図である。
【図５】不使用時の正面図である。
【図６】不使用時の背面図である。
【図７】不使用時の側面図である。
【図８】キャンバス受けを受け棒と棒穴に替えた斜視図である。
【図９】キャンバス受けを板付き受け棒と棒穴に替えた斜視図である。
【符号の説明】
１　前方平板
２　後方平板
３　連結芯
４　溝
５　溝付き延長バ−
６　キャンバス固定ネジ
７　キャンバス押さえ
８　押さえ板
９　押さえ板ネジ穴
１０　バ−保持枠
１１　バ−固定ネジ
１２　枠ネジ穴
１３　バ−ネジ穴
１４　受け板
１５　ストッパ−
１６　受け板凹ロック
１７　受け板凸ロック
１８　受け板軸
１９　軸受け
２０　指入れ凹み
２１　取っ手
２２　後方平板凸ロック
２３　前方平板凹ロック
２４　くの字フック
２５　ヒ−トン
２６　フック穴
２７　前方連結筒
２８　後方連結筒
２９　受け棒穴
３０　受け棒
３１　板付き受け棒
３２　滑り止め
【図１】
2004073441.tif 000003
【図２】
2004073441.tif 000004
【図３】
2004073441.tif 000005
【図４】
2004073441.tif 000006
【図５】
2004073441.tif 000007
【図６】
2004073441.tif 000008
【図７】
2004073441.tif 000009
【図８】
2004073441.tif 000010
【図９】
2004073441.tif 000011